(57)【要約】【課題】ＩＣタグ情報を、デジタルカメラで表示し、なおかつ、撮影物を本来撮影するのと同様な操作方法で撮影物の画像とＩＣタグの情報を関連づけて取得することによって使い勝手を向上させ、ＩＣタグ情報を活用するうえでのユーザの利便性、用途を向上させる。【解決手段】被写体を撮影して被写体画像データを取得する撮影手段と、前記被写体画像データを記録する記録手段と、前記被写体に付されたＩＣタグ内のタグ情報を認識するＩＣタグ認識手段と、前記被写体画像データの画像情報領域に受信された前記タグ情報を埋め込んだ結合データを作成し、該結合データを前記記録手段に記録させる制御手段とを備えた。【選択図】図２
2008072675.tif 000002
【特許請求の範囲】
【請求項１】
被写体を撮影して被写体画像データを取得する撮影手段と、
前記被写体画像データを記録する記録手段と、
前記被写体に付されたＩＣタグ内のタグ情報を認識するＩＣタグ認識手段と、
前記被写体画像データの画像情報領域に受信された前記タグ情報を埋め込んだ結合データを作成し、該結合データを前記記録手段に記録させる制御手段と、を備えたことを特徴とする撮像装置。
【請求項２】
請求項１記載の撮像装置において、
前記記録手段は、前記タグ情報に基づいて分類されるデータ格納手段を備え、
前記制御手段は、前記結合データを、前記タグ情報に基づいて前記データ格納手段に記録させることを特徴とする撮像装置。
【請求項３】
被写体を撮影して被写体画像データを取得する撮影手段と、
前記被写体画像データを記録する記録手段と、
前記被写体に付されたＩＣタグ内のタグ情報を認識するＩＣタグ認識手段と、
前記被写体画像データが表す前記被写体の画像に前記タグ情報を合成した合成データを作成し、該合成データを前記記録手段に記録させる制御手段と、
を備えたことを特徴とする撮像装置。
【請求項４】
少なくとも被写体を表示する表示手段と、
複数のレンズを備え、少なくとも前記被写体にピントを合わせる鏡胴部材と、
前記被写体画像データを記録する記録手段と、
前記被写体に付されたＩＣタグ内のタグ情報を認識するＩＣタグ認識手段と、
前記鏡胴部材が前記被写体にピントを合わせた後、前記表示手段における前記被写体の表示に前記タグ情報を合成する制御手段と、
を備えたことを特徴とする撮像装置。
【請求項５】
被写体を撮影して被写体画像データを取得する撮影手段と、
前記被写体に付されたＩＣタグ内のタグ情報を認識するＩＣタグ認識手段と、
前記タグ情報基づいて前記撮影手段の撮影パラメータを変更する変更手段と、
前記被写体画像データを記録する記録手段と、
前記被写体画像データを圧縮する画像圧縮手段と、
圧縮された前記被写体画像データを前記記録手段に記録させる記録制御手段を備えたことを特徴とする撮像装置。
【発明の詳細な説明】
【技術分野】
【０００１】
本発明は撮像装置に関わり、特にＩＣタグ認識装置を備えて被写体に付けられたＩＣタグの情報を認識する機能を備えた撮像装置に関する。
【背景技術】
【０００２】
近年、バーコードの代替としてＩＣタグが注目されており、一部の商品には、すでにＩＣタグ、とりわけ非接触型のＩＣタグが埋め込まれているものが増えており、非接触ＩＣタグについては特開２００３−３０３３２８公報、特開２００５−２３４８７１公報に開示されるような技術が知られている。
一般に、この種の非接触ＩＣタグは、情報を記録するメモリなどからなるＩＣチップと、ＩＣチップに接続され、外部装置との間で非接触で信号を送受するアンテナと、ＩＣチップとアンテナ間を接続する導線部からなる。
このようなＩＣタグは、商品のきめ細かい情報が埋め込まれており、外部装置からアクセスされると、ＩＣチップに記録されている物品の品名や価格などの固有のタグ情報をアンテナを介して外部装置に送出することができ、外部装置によって読みとった情報は、商品の在庫管理、流通管理等様々な用途に用いることができる。
【特許文献１】特開２００３−３０３３２８公報
【特許文献２】特開２００５−２３４８７１公報
【発明の開示】
【発明が解決しようとする課題】
【０００３】
しかしながら、従前は、ＩＣタグ情報を読みとって活用するのには、専用の読みとり装置が必要であったりして、一般ユーザに使いづらかったり、また、ＩＣタグ情報を読みとっても、商品等とそのＩＣタグ情報を関連づけて取り扱うことが難しいため、必ずしも使い勝手のよいものであるとは言い難かく、その用途も限定的なものに留まっていた。
そこで、本発明は、専用の読みとり装置を使うことなく、ＩＣタグ情報を、より身近な存在であるデジタルカメラで表示し、なおかつ、撮影物（被写体）を本来撮影するのと同様な操作方法で画像とＩＣタグの情報を関連づけて取得することによって使い勝手を向上させ、ＩＣタグ情報を活用するうえでのユーザの利便性、用途を向上させることを目的としている。
【課題を解決するための手段】
【０００４】
以上の課題を解決するために、請求項１記載の発明は、被写体を撮影して被写体画像データを取得する撮影手段と、前記被写体画像データを記録する記録手段と、前記被写体に付されたＩＣタグ内のタグ情報を認識するＩＣタグ認識手段と、前記被写体画像データの画像情報領域に受信された前記タグ情報を埋め込んだ結合データを作成し、該結合データを前記記録手段に記録させる制御手段と、を備えた画像形成装置を特徴とする。
請求項２記載の発明は、請求項１記載の撮像装置において、前記記録手段は、前記タグ情報に基づいて分類されるデータ格納手段を備え、前記制御手段は、前記結合データを、前記タグ情報に基づいて前記データ格納手段に記録させる撮像装置を特徴とする。
請求項３記載の発明は、被写体を撮影して被写体画像データを取得する撮影手段と、前記被写体画像データを記録する記録手段と、前記被写体に付されたＩＣタグ内のタグ情報を認識するＩＣタグ認識手段と、前記被写体画像データが表す前記被写体の画像に前記タグ情報を合成した合成データを作成し、該合成データを前記記録手段に記録させる制御手段と、を備えた撮像装置を特徴とする。
【０００５】
請求項４記載の発明は、少なくとも被写体を表示する表示手段と、複数のレンズを備え、少なくとも前記被写体にピントを合わせる鏡胴部材と、前記被写体画像データを記録する記録手段と、前記被写体に付されたＩＣタグ内のタグ情報を認識するＩＣタグ認識手段と、前記鏡胴部材が前記被写体にピントを合わせた後、前記表示手段における前記被写体の表示に前記タグ情報を合成する制御手段と、を備えた撮像装置を特徴とする。
請求項５記載の発明は、被写体を撮影して被写体画像データを取得する撮影手段と、前記被写体に付されたＩＣタグ内のタグ情報を認識するＩＣタグ認識手段と、前記タグ情報基づいて前記撮影手段の撮影パラメータを変更する変更手段と、前記被写体画像データを記録する記録手段と、前記被写体画像データを圧縮する画像圧縮手段と、圧縮された前記被写体画像データを前記記録手段に記録する記録制御手段と、を備えた撮像装置を特徴とする。
【発明の効果】
【０００６】
本発明は、撮影物（被写体）を本来撮影するのと同様な操作方法で画像とＩＣタグの情報を関連づけて取得することにより、ＩＣタグ情報の使い勝手を向上させ、ＩＣタグ情報を活用するうえでのユーザの利便性、用途を向上させることが出来る。
【発明を実施するための最良の形態】
【０００７】
以下、図を参照して、本発明の実施の形態について説明する。
図１は、本発明の撮像装置の一例であるデジタルカメラの概観図であり、図１（ａ）はカメラ上面図、図１（ｂ）はカメラ正面図、図１（ｃ）はカメラ裏面図である。又、図２は、本発明の撮像装置の一例であるデジタルカメラを機能ごとに示したブロック図である。
まず、図１、図２を用いて本発明の撮像装置の一例であるデジタルカメラの動作を説明する。
図１、２において、鏡胴ユニット（鏡胴手段）７は、被写体の光学画像を取り込むズームレンズ７−１ａ及びズームモータ７−１ｂからなるズーム光学系７−１、フォーカスレンズ７−２ａ及びフォーカスモータ７−２ｂからなるフォーカス光学系７−２、絞り７−３ａ絞り３ｂからなる絞りユニット７−３、メカシャッタ７−４ａ、メカシャッタモータ７−４ｂからなるメカシャッタユニット７−４、これらの各モータを駆動するモータドライバ７−５からなっている。
【０００８】
操作キーユニットは、電池電源をＯＮ・ＯＦＦする電源ＳＷ１３と、ＺＯＯＭ・ＳＷ（ＷＩＤＥ）ＳＷ３と、ＺＯＯＭ・ＳＷ（ＴＥＬＥ）ＳＷ４と、セルフタイマ／削除ＳＷ・ＳＷ５と、ＭＥＮＵ・ＳＷ・ＳＷ６と、上／ストロボＳＷ・ＳＷ７と、右ＳＷ・ＳＷ８と、ＤＩＳＰＬＡＹ・ＳＷ・ＳＷ９と、下／マクロＳＷ・ＳＷ０１と、左／画像確認ＳＷ・ＳＷ１１と、ＯＫ・ＳＷ・ＳＷ１２と、レリーズキーＳＷ１、各撮影モードを指示するモードダイアルＳＷ２から構成される。
モータドライバ７−５は、リモコン受光部６への入力や、操作キーユニット（ＳＷ１−ＳＷ１３）の入力に基づいて、後述するデジタルスチルカメラプロセッサ１０４内のＣＰＵ（Central Processing Unit）１０４−３からの駆動指令により駆動制御される。
ＲＯＭ（Read Only Memory）１０８にはＣＰＵ１０４−３が解読可能なコードで記述された制御プログラム、制御パラメータが格納されている。ＲＯＭ１０８に書き換え可能なフラッシュＲＯＭを用いることで、制御プログラムや制御パラメータを変更することが可能になり、機能のアップデートが容易に行える。
デジタルカメラの電源がオンの状態になると、前記プログラムは、図示しないメインメモリにロードされ、ＣＰＵ１０４−３はそのプログラムに従って、装置各部の動作を制御するとともに、制御に必要なデータ等を一時的にＲＡＭ１０７、及びデジタルスチルカメラプロセッサ１０４内にあるローカルＳＲＡＭ（Static RAM）１０４−４に記録する。
【０００９】
ＣＣＤ（Charge Coupled Device）１０１は、撮影手段としての、光学画像を光電変換する固体撮像素子であり、フロントエンドＩＣ１０２は、画像ノイズ除去用二重サンプリングを行うＣＤＳ（Correlated Double Sampling）１０２−１、ゲイン調整を行うＡＧＣ（Automatic Gain Control）１０２−２、アナログ−ディジタル信号変換を行うＡ／Ｄ１０２−３、デジタルスチルカメラプロセッサ１０４内のＣＣＤ１制御部１０４−１より垂直同期信号（以下、ＶＤ）、水平同期信号（ＨＤ）を供給されてＣＰＵ１０４−３により制御されるＣＣＤ１０１、フロントエンドＩＣ１０２の駆動タイミング信号を発生するＴＧ（Timing Generator）１０２−４を備える。
デジタルスチルカメラプロセッサ１０４は、フロントエンドＩＣ１０２の出力データにホワイトバランス設定やガンマ設定を行い、また前述したＶＤ信号、ＨＤ信号を供給するＣＣＤ１制御部１０４−１、フィルタリング処理により輝度データ・色差データへの変換を行うＣＣＤ２制御部１０４−２、前述した装置各部の動作を制御するＣＰＵ（制御手段）１０４−３、前述した制御に必要なデータ等を一時的に保管するローカルＲＡＭ１０４−４、パソコンなどの外部機器とＵＳＢ通信を行うＵＳＢ（Universal Serial Bus）制御部１０４−５、シリアル通信を行うシリアル制御部１０４−６、ＪＰＥＧ圧縮・伸張を行うＪＰＥＧコーデック部１０４−７、画像データのサイズを補完処理により拡大縮小するＲＥＳＩＺＥ部１０４−８、画像データを液晶モニタやＴＶなどの外部表示機器に表示するためのビデオ信号に変換するＴＶ信号表示部１０４−９、撮影された画像データを記録するメモリカードや、汎用のＰＣＭＣＩＡ（Personal Computer Memory Card International Association）カードやＣＦ（Compact Flash）、ＳＤ（Secure Digital）カードに対応しているＧＰＳカードなどの制御を行うメモリカードコントローラ１０４−１０を有する。
【００１０】
ＳＤＲＡＭ１０３は、前述したデジタルスチルカメラプロセッサ１０４で画像データに各種処理を施す際に画像データを一時的に記録する。記録されるデータは、例えばＣＣＤ１０１からフロントエンドＩＣ１０２を経由して取り込み、ＣＣＤ１信号処理部１０４−１で、ホワイトバランス設定、ガンマ設定が行われた状態のＲＡＷ−ＲＧＢ画像データや、ＣＣＤ２制御部１０４−２で、輝度データ・色差データ変換が行われた後のＹＵＶ画像データ、ＪＰＥＧコーデック部１０４−７で、ＪＰＥＧ圧縮が行われたＪＰＥＧ画像データなどである。
メモリカードスロット１２１は、着脱可能メモリカードや、ＧＰＳカードなどを装着するためのスロットである。内蔵メモリ１２０は、前述したメモリスロット１２１にメモリカードが装着されていない場合でも、撮影した画像データを記録できるようにするためのメモリである。
【００１１】
ＬＣＤドライバ１１１は、後述するＬＣＤモニタ１０を制御するドライブ回路であり、ＴＶ信号表示部１０４−９から出力されたビデオ信号をＬＣＤモニタ１０に表示するための信号に変換する機能を有している。
ＬＣＤモニタ１０は、例えば撮影画像のプレビューを表示するモニタであって、撮影前に被写体の状態を監視したり、撮影した画像を確認したり、メモリカードや前述した内蔵メモリ１２０に記録した画像データを表示するのに用いる。
ビデオＡＭＰ１１８は、ＴＶ信号表示ブロック１０４−９から出力されたビデオ信号を、７５Ωインピーダンス変換するためのアンプであり、ビデオジャック１１９は、ＴＶなどの外部表示機器と接続するためのジャックである。ＵＳＢコネクタ１２２はパソコンなどの外部機器とシリアル接続を行うためのコネクタである。
シリアルドライバ回路１２３−１は、パソコンなどの外部機器とシリアル通信を行うために、前述したシリアル部１０４−６の出力信号を電圧変換するための回路であり、ＲＳ−２３２Ｃコネクタは、シリアル接続のためのコネクタである。
【００１２】
ＳＵＢ−ＣＰＵ１０９は、ＲＯＭ及びＲＡＭをワンチップに内蔵したＣＰＵであって、操作キー部（ＳＷ１−１３）や、リモコン受光部６の出力信号をユーザの操作情報として前述したＣＰＵ１０４−３より出力されるカメラの状態を、後述するサブＬＣＤ１、ＡＦ  ＬＥＤ８、ストロボＬＥＤ９、ブザー１１３の制御信号に変換して出力する。
サブＬＣＤ１は、例えば、撮影可能枚数や、撮影モード（バルブモード）等の撮影条件を表示するための表示部であって、サブＬＣＤドライバ１１１は、前述したＳＵＢ−ＣＰＵ１０９の出力信号より前述したサブＬＣＤ１を駆動するためのドライブ回路である。
ＡＦ  ＬＥＤ８は、撮影時の合焦状態を表示するためのＬＥＤであり、ストロボＬＥＤ９は、ストロボ充電状態を表すためのＬＥＤである。
なお、このＡＦ  ＬＥＤ８と、ストロボＬＥＤ９は、メモリカードへのアクセス中であることなどを示すなど別の表示用途に使用してもよい。
【００１３】
操作キーユニット（ＳＷ１−１３）は、ユーザが操作するキー回路であり、リモコン受光部６は、ユーザが操作したリモコン送信器の信号の受信部である。
音声記録ユニット１１５は、ユーザが音声信号を入力するマイク１１５−３、入力された音声信号を増幅するマイクＡＭＰ１１５−２、増幅された音声信号を増幅し、スピーカを駆動するためのオーディオＡＭＰ１１６−２、音声信号を出力するスピーカ１１６−３からなる。
方向センサユニット１１７は、方向や加速度をなどを検出して出力する加速度・ジャイロセンサ１１７−２と、センサから出力されるアナログ信号をディジタル信号に変換するＡ／Ｄ変換回路１１７−１からなる。
ＩＣタグ認識部（ＩＣタグ認識手段）３０１は、ＩＣタグからの情報を受信する受信部と、情報を分析してデジタルスチルカメラプロセッサ１０４に伝達する装置であり、ＩＣタグからの情報を分析するための分析部と、アンテナ１７及び変復調回路受信部よりなる。
【００１４】
以下に、本発明に係る撮像装置が、撮影物に付されたＩＣカードを読みとって利用する態様について詳しく説明する。
［実施例１］
本発明の第１の実施例について説明する。
まず、被写体の撮影時にデジタルスチルカメラの撮影範囲に入っている撮影物（被写体）に埋め込まれたＩＣタグから、ＩＣタグ認識部３０１によってＩＣタグデータを取得し、情報を認識する。
ここで、ＩＣタグは、非接触式ＩＣタグである。非接触ＩＣタグは、情報を記録するメモリなどからなるＩＣチップと、ＩＣチップに接続されて外部装置との間で非接触で信号を伝送するアンテナと、ＩＣチップ・アンテナ間を接続する導線部からなっている。
ＩＣタグ認識部３０１は、アンテナ及び変復調回路を解してＩＣタグ内（ＩＣタグ情報）の情報を読み取る。
取得したタグ情報の全てを埋め込んでもよいが、ユーザが必要な情報を決定（選択）するようにしてもよい。
【００１５】
ＩＣタグ認識部３０１で取得されたデータは、デジタルスチルカメラプロセッサ１０４に転送される。ＣＰＵ１０４−３は、ＩＣタグ認識部３０１から送られたＩＣタグデータ中のタグ情報から、ユーザが指定した情報のみを検索して抽出する（全てのタグ情報を用いる場合は不要）。
ＣＰＵ１０４−３は、同時に撮影され、画像処理された撮影物画像データのデータフォーマットの一部にこれらのデータ（ユーザが必要である指定した情報）を埋め込んだ結合データを作成し、内蔵メモリ１２０あるいは、メモリカードスロット１２１に挿入されたメモリカード（記録手段）に記録する。
これにより、撮影物を撮影するだけで、撮影範囲内のすべての撮影物のタグ情報を簡単に、撮影物と関連づけて記録することができる。
ここで、ユーザが撮影物画像データの画像情報領域に埋め込むタグ情報を決定（選択）する方法について説明する。あらかじめユーザが必要な情報を決定（選択）して、カメラに記録させておいてもよいし、撮影時にユーザが任意に決定（選択）してもよい。
【００１６】
まず、撮影前に予めユーザが必要な指定タグ情報を決定（選択）する場合について説明する。
撮影物画像に埋め込む指定タグ情報の決定（選択）を撮影前に予め行う場合は、指定タグ情報のリストからユーザが必要な指定タグ情報を決定（選択）する。
ここで、指定タグ情報のリストは、例えば、既にユーザが独自に作成した指定タグ情報のリストをＰＣ等の外部装置を用いてカメラに転送することによってカメラに記録することで作成してもよいし、カメラの撮影モードとこの撮影モードで想定される撮影物の種類から、撮影物画像に埋め込む指定タグ情報の種類を特定し、カメラに直接指定タグ情報を記録させることで作成してもよい。
上記のカメラのモードは、例えば、夜景モード、接写モード、水中モード、スポーツモード、オークションモード、室内モード等がある。これらの撮影モードから想定される撮影物には、例えば夜景モードにおいては、街灯や、ライトアップされた建築物、接写モードにおいては花や昆虫、水中モードにおいては、小魚や珊瑚、スポーツモードにおいては、短距離走の選手や球技におけるボール、オークションモードにおいては洋服や玩具、ＣＤジャケットや棚等家具、室内モードにおいては、ひとやペット（動物）などがある。
【００１７】
次に、撮影時にユーザが任意に指定タグ情報を決定（選択）する場合について説明する。
撮影画像がプレビュー画像としてＬＣＤモニタ１０に表示されるようにしたカメラにおいて、このＬＣＤモニタ１０におけるプレビュー画像表示に対応させてプレビュー画像に関して取得した指定タグ情報を表示する。このときの指定タグ情報の表示は、ＬＣＤモニタ上にプレビュー画像に重畳して表示してもよく、サブＬＣＤ１に文字情報として表示してもよい。
そして、ユーザはこの表示された指定タグ情報から必要な指定タグ情報を任意に決定（選択）する。
なお、指定タグ情報のリストは、上記取得・記録よるリストに限らず、カメラを操作するユーザに、指定タグ情報を決定（選択）させることができるものであればよい。
また、指定タグ情報の決定（選択）については、以下の実施例について同様である。
【００１８】
ところで、撮影物画像データへタグ情報を埋め込む方法について説明する。画像データの画像情報領域、例えばＥｘｉｆフォーマットのタグエリア（画像サイズなどの画像情報が記録されているエリア）に記録する方法が一例として考えられる。具体的には、Ｅｘｉｆフォーマットにおけるメーカーノートの領域（Ｅｘｉｆフォーマットにおいて、記録内容をメーカーで決めることができる領域）に上記ユーザが必要として指定した情報（以下、指定タグ情報）を記録することになる。
なお、本実施例において、受信したＩＣタグデータ中の情報を撮影物画像データの情報の一部として埋め込むとは、上記Ｅｘｉｆフォーマットのメーカーノート領域への記録に加えて、独自のフォーマットに従って埋め込む場合などがあり、これらの埋め込み方式は自由に選択できる。
つまり、指定タグ情報を記録できる領域であればよく、Ｅｘｉｆフォーマットや独自のフォーマットに限定されることはない。さらに、タグ情報からどの情報を選択するかについても自由に選択できるものとする。
【００１９】
図３は、本実施例の処理の流れを示したフローチャートである。なお、これはユーザが予め、あるいは撮影時にタグ情報を選択（決定）した場合のフローチャートである。ユーザがレリーズキーＳＷ１を押して撮影要求をすると（Ｓ１００でＹｅｓ）、ＩＣタグ認識部３０１で、撮影範囲に入っている撮影物のタグ情報を取得する（Ｓ１０１）。ＣＰＵ１０４は、ＩＣタグ認識部３０１が取得した情報からユーザが必要な情報を検索抽出する（Ｓ１０２）。続いて、撮影範囲に入っている撮影物を撮影し、撮影物画像データを取り込む（Ｓ１０３）。ＣＰＵ１０４は、撮影物画像データと指定タグ情報を結合して、結合データを作成する（Ｓ１０４）。最後にＣＰＵ１０４は、内蔵メモリ１２０（記録手段）あるいはメモリカードに結合データを記録する。
以上のように構成することで、ユーザの利便性を向上し、ＩＣタグの用途拡大することが出来る。
【００２０】
［実施例２］
本発明の第２の実施例について説明する。
まず、被写体を撮影する際に、撮影範囲に入っている撮影物（被写体）に埋め込まれたＩＣタグに記録されるＩＣタグデータをＩＣタグ認識部３０１で取得（受信）し、情報を認識する。そして、ユーザが必要とした指定した情報（指定タグ情報）だけをデジタルスチルカメラプロセッサ１０４のＣＰＵ１０４−３で検索・抽出し、画像処理された撮影物画像に図８のように合成処理を行い、ＣＰＵ１０４−３は、合成データを、内蔵メモリ１２０又はメモリカードスロット部１２１に挿入されたメモリカードに記録する。
ＩＣタグ情報を撮影物画像に埋め込んで記録する例を図８を用いて説明する。
図８において、傘と焼物とＦＡＸに各々ＩＣタグが付けられている。これらの３つの撮影物をひとつの撮影画像として撮影し、上記したようにＩＣタグを読み取って、タグ情報を取得する。
取得した情報の全てを画像に埋め込んでもよいが、ユーザが必要な情報を決定（選択）するようにしてもよい、
【００２１】
以下、この点について説明する。
取得した情報のすべて（図８の例では、傘と焼物とＦＡＸに関するタグ情報のすべて）を画像に合成する情報として用いる場合は、この情報を撮影画像の対応する位置に合成する。
ユーザが撮影物画像に合成するタグ情報を決定（選択）する場合は、すべてのタグ情報からユーザが必要な情報を決定（選択）する。
この、合成する情報の決定（選択）の方法は、上記した実施例１の画像データに埋め込むタグ情報の決定（選択）方法と同様である。
画像に表示されるべきタグ情報を撮影物画像に対応する位置に表示することについて説明する。表示されるべきタグ情報は、上記したとおり、取得したすべてのタグ情報か、ユーザが予めまたは撮影時に決定（選択）した指定タグ情報のいずれかである。
ここで、撮影画像について、そのエッジを認識してこれを基準とし、この基準の位置から所定距離（例えばＬＣＤモニタ１０上で数ミリ）離れた位置を撮影画像に対応する位置としてもよい。
【００２２】
また、撮影画像のプレビュー時に、ユーザが撮影画像に対応する位置を決定する方法として、例えばＬＣＤモニタ１０上のタグ情報表示領域を示す点線からなる四角形をプレビュー画像に重畳させて表示し、カメラ本体の上下左右ボタン（ＳＷ６、ＳＷ７、ＳＷ８、ＳＷ１１）の操作によってＬＣＤモニタ１０上の上記四角形を移動させてＯＫボタンでタグ情報の表示位置を決定する構成にしてもよい。
このことにより、撮影するだけで撮影したすべての撮影物のタグ情報を簡単に画像ファイルとして記録できる。さらに、タグ情報の表示方法、どの情報を選択するかについても、図８に限定できるものではなく、自由に選択できるものとする。
【００２３】
図４は、本実施例の処理の流れを示したフローチャートである。なお、これはユーザが予め、あるいは撮影時にタグ情報を選択（決定）した場合のフローチャートである。ユーザがレリーズキーＳＷ１を押して撮影要求をすると（Ｓ２００でＹｅｓ）、ＩＣタグ認識部３０１で、撮影範囲に入っている撮影物のタグ情報を取得する（Ｓ２０１）。ＣＰＵ１０４−３は、ＩＣタグ認識部３０１が取得した情報から指定タグ情報を検索・抽出する（Ｓ２０２）。続いて、撮影範囲に入っている撮影物を撮影し、撮影物画像データを取り込む（Ｓ２０３）。ＣＰＵ１０４−３は、撮影物画像に指定タグ情報を合成して、合成データを作成する（Ｓ２０４）。最後にＣＰＵ１０４は、内蔵メモリ１２０あるいはメモリカードに合成データを記録する。
なお、上記のように各々の撮影物から指定タグ情報を取得するときに、異なる複数の撮影物が近接していた等、撮影物の配置によっては、取得したタグ情報と撮影画像が食い違うという誤りが生じ得る。
このような場合は、例えば撮影時にＬＣＤモニタ１０上にタグ情報と撮影画像撮影物画像）とを重畳して表示し、ユーザが撮影画像と食い違っているＩＣタグを選択して修正する（文字情報を編集するなど修正する）ことで、タグ情報と、撮影画像とを正しく関連付けることもできる。
また、後述するように、自動で修正することもできる。
以上のように構成することで、ユーザの利便性を向上し、ＩＣタグの用途拡大することが出来る。
【００２４】
［実施例３］
次に、本発明の第３の実施例について説明する。
まず、ユーザがＬＣＤモニタ１０又は図示しないＥＶＦ（Electric View Finer：電子ビューファインダ）から撮影する画像を確認（見ることができる）モードにした場合、ＬＣＤモニタ（表示手段）１０及びＥＶＦ（表示手段）から撮影する画像を確認することができる。その状態で操作キーユニット（ＳＷ１−１３）のレリーズキーＳＷ１を押した場合、鏡胴ユニット７でフォーカシングを行い、撮影物にピントをあわせる。
撮影物にピントをあわせることをトリガーとして、タグ情報を取得する。すなわち、レリーズキーを押してピントをあわせると、撮影物のタグ情報をＩＣタグ認識部３０１がＩＣタグからデータを取得（受信）し、情報を認識する。そして、上述したように、ユーザが必要として指定した情報だけをデジタルスチルカメラプロセッサ１０４のＣＰＵ１０４−３が検索し、ＬＣＤモニタ１０及びファインダに図９のように画像と併せて表示する。
図９におけるタグ情報と画像を併せて表示する方法については上述した、図８のタグ情報の取得、決定（選択）、表示の方法を用いればよい。
このことにより、デジタルカメラでタグ情報を見たい撮影物にピントを併せるだけで表示することにより、撮影物のいろいろな情報が一目でわかることになる。
さらに、タグ情報の表示方法、どの情報を選択するかについても図９の例に限らず、自由に選択することができるものとする。
【００２５】
以上の実施例をフローチャートで示した図が図５である。なお、これはユーザが予め、あるいは撮影時にタグ情報を選択（決定）した場合のフローチャートである。
鏡胴ユニット７でユーザが撮影物にピントを合わせると（Ｓ３００でＹＥＳ）、ピントを合わせた撮影範囲に入っている撮影物のタグ情報を取得する（Ｓ３０１）。ＣＰＵ１０４−３は、ＩＣタグ認識部３０１が取得した情報から指定タグ情報を検索・抽出し（Ｓ３０２）、ＣＰＵ１０４−３は、撮影物の表示にタグ情報を合成し（Ｓ３０３）、ＬＣＤモニタ１０およびファインダにタグ情報を表示する（Ｓ３０４）。
【００２６】
ここで、異なる複数の撮影物が接近したために生じる取得したタグ情報と撮影物とが食い違う等の誤りを自動で修正する方法について説明する。
鏡胴ユニット７でフォーカシング等を行い、カメラのＬＣＤモニタ１０に表示される撮影物と、その撮影物のタグ情報として表示される内容が食い違っている状態になった場合は、あわせたピントを一旦解除して、複数の撮影物のうち、タグ情報を取得したい撮影物に再度ピントを合わせて当該撮影物のＩＣタグ認識部３０１で、ＩＣタグよりデータを取得（受信）し情報を認識する。すなわち、レリーズキーＳＷ１を一旦解除し、再度レリーズキーＳＷ１を押してピントを合わせ、ＩＣタグよりデータを取得（受信）し、タグ情報を認識する。このとき、ＬＣＤモニタ１０上にタグ情報と撮影物とを重畳して表示し、撮影物とＩＣタグよりデータとが正しく対応していることをユーザが視認して確認する。このように、撮影物にピントを合わせることをトリガーとして撮影物と食い違ったタグ情報を修正する（正しいタグ情報を更に取得する）。
なお、複数撮影物へのピント合わせ時におけるタグ情報の自動修正は、上記した例に限らず、撮影物を指定しなおすことにより当該撮影物のタグ情報を再取得できるものであればよい。
以上のように構成することで、ユーザの利便性を向上し、ＩＣタグの用途拡大することが出来る。
【００２７】
［実施例４］
本発明の第４の実施例について説明する。
まず、撮影時に、撮影範囲に入っている撮影物のタグ情報をＩＣタグ認識部３０１で取得し、タグ情報を認識する。そして、ユーザが指定した情報だけをデジタルカメラプロセッサ１０４のＣＰＵ１０４−３で検索・抽出し、画像処理された撮影物画像のデータフォーマットの一部に記録する。
そして、メモリカードスロット１２１に挿入されたメモリカードにこのタグ情報の情報により予め作成されている分類ごとの記録フォルダ（データ格納手段）に自動的に分類して記録する。
【００２８】
この分類について説明する。
この分類については、上記したＥｘｉｆフォーマットにおけるメーカーノート領域に記録されているタグ情報を取得し、この取得情報（及び取得情報の一部）を分類として利用することができる。例えば、Ｅｘｉｆフォーマットにおけるメーカーノート領域に撮影画像（又は／及び個々の撮影物）のタグ情報を記録しておき、この領域からすべて（又は一部）のタグ情報を取得して分類して用いることができる。
また、取得したタグ情報をＰＣ等の外部装置（又はカメラの液晶モニタ）で編集・表示（ソート等）の加工等を行うことができる。
この編集等の操作は、ユーザが手動することもでき、予めカメラ記録させたプログラムや外部装置に記録させたプログラム等により自動で行うようにしてもよい。
また、後から（撮影時にかかわらず）、記録してある上述した結合ファイル（撮影画像データにタグ情報を埋め込んだファイル）をＩＣタグの情報によりユーザが選択した分類（例：上着、スカート、ズボン）のように自動的にフォルダ分けすることが可能である。
この場合、自動的にわける操作も、予めカメラに記録させたプログラムや外部装置に記録させたプログラム等によって行うことができる。
【００２９】
以上の実施例の流れをフローチャートで示したものが図６である。なお、これはユーザが予め、あるいは撮影時にタグ情報を選択（決定）した場合のフローチャートである。
ユーザがレリーズキーＳＷ１を押して撮影要求をすると（Ｓ４００でＹｅｓ）、ＩＣタグ認識部３０１で、撮影範囲に入っている撮影物のタグ情報を取得する（Ｓ４０１）。ＣＰＵ１０４−３は、ＩＣタグ認識部３０１が取得した情報から指定タグ情報を検索・抽出する（Ｓ４０２）。続いて、撮影範囲に入っている撮影物を撮影し、撮影物画像データを取り込む（Ｓ４０３）。ＣＰＵ１０４−３は、撮影物画像データに指定タグ情報を合成して、結合ファイルを作成する（Ｓ４０４）。最後にＣＰＵ１０４−３は、結合ファイル内のタグ情報のもとにファイルを分類し、内蔵メモリ１２０あるいはメモリカードに結合ファイルを記録する（Ｓ４０５）。
このようにすることで、ユーザの利便性を向上させることができる。
【００３０】
［実施例５］
本発明の第５の実施例について説明する。
まず、カメラで撮影時に撮影範囲に入っている撮影物のタグ情報をＩＣタグ認識部３０１で取得して情報を認識する。そして、ユーザが指定した情報だけをデジタルカメラプロセッサ１０４内の、ＣＰＵ１０４−３が検索・抽出し、その情報をもとにあらかじめ決められている画像パラメータを変更する。
撮影パラメータは、撮影に影響する項目である、ホワイトバランス、エッジ強調、ＥＶ値、ガンバ値、カラーバランス等を示す。そして、そのパラメータで撮影し、デジタルカメラプロセッサユニット１０４のＪＰＥＧコーデック部１０４−７で圧縮し、メモリカードスロット１２１に挿入されたメモリカードにＪＰＥＧファイルとして記録する。
【００３１】
例えば、撮影物として、赤いリンゴがあり、かつこの撮影物がタグ情報を有している場合を用いて説明する。
デジタルスチルカメラには、例えば、色が赤であるときのカラーバランスは、赤を強めて鮮やかさを強調するパラメータ値、撮影物が果物であるときのエッジは、エッジ強調を弱めて果物をおいしく見せるように撮影するといったパラメータ値のように、各画像パラメータにおいて、撮影物と対応付けたパラメータのデータを登録している。この場合、撮影物であるリンゴのタグ情報をＩＣタグ認識部で取得し、リンゴのタグ情報を認識する。
すなわち、撮影物がリンゴであること、撮影物が赤いことを指定タグ情報として取得し、この情報をもとにデジタルスチルカメラで上記撮影物と対応させた各パラメータのデータを用いて撮影パラメータを変更する。
上記の赤いリンゴの例では、取得したタグ情報のリンゴ、赤というタグ情報をもとに、カラーバランスの赤を強くするようにカラーバランスのパラメータを変更し、エッジを弱めるように撮影パラメータを変更する。
【００３２】
以上の処理の流れを図７のフローチャートに示す。なお、これはユーザが予め、あるいは撮影時にタグ情報を選択（決定）した場合のフローチャートである。
ユーザがレリーズキーＳＷ１を押して撮影要求をすると（Ｓ５００でＹｅｓ）、ＩＣタグ認識部３０１で、撮影範囲に入っている撮影物のタグ情報を取得する（Ｓ５０１）。ＣＰＵ１０４−３は、ＩＣタグ認識部３０１が取得した情報から指定タグ情報を検索・抽出する（Ｓ５０２）。
続いて、抽出した情報をもとに、撮影物に合った撮影パラメータに変更し（Ｓ５０３）、その撮影パラメータに沿って、撮影範囲に入っている撮影物を撮影し、撮影物画像データを取り込む（Ｓ５０４）。ＪＰＥＧ  ＣＯＤＥＣ部１０４−３は、撮影物画像データを圧縮してＪＰＥＧファイルとし（Ｓ５０５）、記録制御手段としてのＣＰＵ１０４−３が、内蔵メモリ１２０あるいはメモリカードに記録する（Ｓ５０６）。
このようにすることで、モード切替えなどの面倒な操作をしなくても、撮影物によって最適な画像パラメータで撮影することができる。
すなわち、読み取ったタグ情報をもとに自動的に撮影物にマッチした撮影パラメータを変更することができるので、ユーザの操作性を向上させ、簡単に最適な画像を撮影することができる効果がある。
また、本発明は、撮影物のタグ情報で撮影パラメータを変更する発明であり、変更するタイミング、変更するパラメータなどは上記の例に限定されないことはいうまでもない。
【図面の簡単な説明】
【００３３】
【図１】本発明の撮像装置の一例であるデジタルカメラの概観図。
【図２】本発明の撮像装置の一例であるデジタルカメラを機能ごとに示したブロック図。
【図３】第１の実施例の処理の流れを示したフローチャート。
【図４】第２の実施例の処理の流れを示したフローチャート。
【図５】第３の実施例の処理の流れを示したフローチャート。
【図６】第４の実施例の処理の流れを示したフローチャート。
【図７】第５の実施例の処理の流れを示したフローチャート。
【図８】ＩＣタグデータ情報を撮影物画像に埋め込んで記録する例を示す図。
【図９】タグ情報と撮影物を併せて表示する例を示す図。
【符号の説明】
【００３４】
７  鏡胴ユニット、６  リモコン受光部、ＳＷ１〜ＳＷ１３  操作部キーユニット、１０４  デジタルスチルカメラプロセッサ、１０２  フロントエンドＩＣ、１０１  ＣＣＤ、１０２−１  ＣＤＳ、１０２−２  ＡＧＣ、１０４−４  Ｌｏｃａｌ  ＳＲＡＭ、１０４−５  ＵＳＢブロック、１０４−７  ＪＰＥＧ  ＣＯＤＥＣ部、１０３  ＳＤＲＡＭ、１２１  カードスロット、１２０  内蔵メモリ、１１７  ＬＣＤドライバ、１０  ＬＣＤモニタ、３０１  ＩＣタグ認識部、１０４−３  ＣＰＵ
【図１】
2008072675.tif 000003
【図２】
2008072675.tif 000004
【図３】
2008072675.tif 000005
【図４】
2008072675.tif 000006
【図５】
2008072675.tif 000007
【図６】
2008072675.tif 000008
【図７】
2008072675.tif 000009
【図８】
2008072675.tif 000010
【図９】
2008072675.tif 000011